(57)【要約】【課題】生体同様の臨場感を持ってカット練習ができるドッグウイッグを提供すること。【解決手段】犬型本体１の外面に、毛穴から８ｃｍ以上の長さを有する長毛２と、産毛に相当する短毛２’を密生する。長毛２と短毛２’が表面布地３に交互に配列され且つ任意の色合に染毛できる素材で構成され、本体１の腹部中程に支持棒１０を差し込みできる挿孔４を形成する。【選択図】図１
2005031603.tif 000002
【特許請求の範囲】
【請求項１】
犬型本体の外面に、毛穴から８ｃｍ以上の長さを有する長毛と、産毛に相当する短毛を密生して生体と見まがう外観・感触としたトリミング用ドッグウイッグであって、長毛と短毛が表面布地に交互に配列されるとともに任意の色合に染毛できる素材で構成され、本体の腹部中程に支持棒を差し込みできる挿孔を形成したことを特徴とするトリミング用ドッグウイッグ。
【請求項２】
犬型本体が、布地内面に中空状の基体と折り曲げ自在な針金、及び腹部に金属ないし合成樹脂の内材を備えてなる請求項１に記載のトリミング用ドッグウイッグ。
【請求項３】
長毛と短毛が、布地にミシンで植え込まれるとともに毛穴から１本乃至複数本突出することを特徴とする請求項１に記載のトリミング用ドッグウイッグ。
【請求項４】
支持棒を、取付台の縁部に設けたベース体の任意位置に固定できる調整板に高さ調節自在に立設したことを特徴とする請求項１に記載のトリミング用ドッグウイッグ。
【発明の詳細な説明】
【技術分野】
【０００１】  本発明は、カット練習をするためのトリミング用ドッグウイッグに関する。
【背景技術】
【０００２】  従来トリマーや練習生等がトリミング技術向上のための練習をする場合の教材として実物の犬を用いることが多く、まれにペットショップ等で売られている犬型の縫いぐるみを使用しているのが実情である（例えば特許文献１参照）。
【特許文献】特開平８−７１２５６号公報
【発明の開示】
【発明が解決しようとする課題】
【０００３】  実物の犬をカット練習に用いる方法は臨場感があって最適といえるが、多種類の犬を確保するのは容易でないのと使用料も高く、一旦刈った毛は伸びるのに時間がかゝるため長期使用には不向きであり、また実物は動くため技術ミスや未熟によって生体を損傷すると修復が困難であり、代替がきかないため損害発生問題が起きるなどの問題点がある。【０００４】  特許文献１に示されたような縫いぐるみを用いる方法は、実物と異なり気楽にカットできる利点はあるが臨場感がなく、毛をあらかじめ長く形成したにすぎないため所望の長さに刈ってオリジナルな縫いぐるみに仕上げるには適しても、高度なトリミング練習のための教材としては不向きであり到底トリマーの技術向上のための対象にはなり得ない等の不具合があった。
本発明は生体に近い形象としてカット練習に臨場感を与え、トリマーや練習生が自信をもって技術習得に励めるドッグウイッグを提供することを目的としている。
【課題を解決するための手段】
【０００５】  すなわち本発明は、犬型本体の外面に、毛穴から８ｃｍ以上の長さを有する長毛と、産毛に相当する短毛を密生して生体と見まがう外観・感触としたトリミング用ドッグウイッグであって、長毛と短毛が表面布地に交互に配列されるとともに任意の色合に染毛できる素材で構成され、本体の腹部中程に、支持棒を差し込みできる挿孔を形成したことを特徴としている。【０００６】  上記の犬型本体は、布地内面に中空状の合成樹脂ないし金属の基体と折り曲げ自在な針金、及び腹部に金属ないし合成樹脂の内材を備えてなることを特徴とする。【０００７】  また長毛と短毛は、布地にミシンで植え込まれるとともに毛穴から１本乃至複数本突出することを特徴としている。【０００８】  前記支持棒を、取付台の縁部に係合したベース体の任意位置に固定できる調整板に高さ調節自在に立設するとカット作業がしやすくて都合がよい。
【発明の効果】
【０００９】  本発明では、犬型本体の表面に密生した長毛が８ｃｍ以上の長さを有しているのでカット練習が十分にでき、技術が未熟であっても余裕をもって取り組むことができる。また長毛と交互に設けた短毛がボリューム感を発揮するので単なる縫いぐるみとは異なって生体と見まがう外観と感触があり、したがってトリマーにとってあたかも生きた犬そのものを扱うような緊張感と興趣感をもって対峙でき、カット練習に格好な教材となるためトリミング技術の確実な向上が所期される。【００１０】  長毛と短毛は任意の色合に染毛できる素材で構成しているため、需要者のニーズに対応した犬のカラー染めを直ちに行うことのできる実践的技術習得に好適する。【００１１】  犬型本体は布地内面に中空状の合成樹脂ないし金属の基体と針金、及び腹部の金属ないし合成樹脂の内材という頗る手軽な素材を用いるとともに本体外面に長毛と短毛を設けるというシンプルな構成のため高価な材料費がかゝらず組み立て手数も容易であるから製品を安価に提供でき、材料選択によって所望する適度の重量を持たせることもできる。【００１２】  長毛と短毛は、布地にミシンで植え込まれるものであるから確実迅速に形成され、妄りに抜け落ちるようなおそれがないため移動・運搬時等に抜け毛を気遣う必要がなく、また毛穴から１本ないし複数本突出させることで生体と同様の設定にすることができる。【００１３】  本体の腹部にあけた挿孔に支持棒を差し込みすると全体が固定し、カット練習や染毛作業中に妄動したり転倒するおそれがなく安心してトリミングできる。支持棒は、調整板に高さ調節自在に立設したものでトリマー等の身長に応じた高さ設定ができ、調整板はベース体の任意位置に固定でき且つベース体は取付台の縁部に係合することにより場所を選ばず随所において作業ができる。
【発明を実施するための最良の形態】
【００１４】  図１（ａ）は本発明の概略を示すもので、犬型本体１の外面には長毛２と短毛２’とを密生させて生体様に形成してあるため、実物同様の外観・感触を呈する。長毛２は毛穴より８ｃｍ以上の長さがあり、産毛に相当する短毛２’は長毛２に隠れて視認されることはない。犬型本体１は（ｂ）図のように真鍮などの中空状とした金属の基体１ａと、突出部位である尻尾や足となる箇所に折り曲げ自在な針金１ｂ、腹部に金属・合成樹脂などの内材１ｃを備えて構成される。【００１５】  長毛２と短毛２’は、図１（ｃ）のように本体１の表面となる布地３にあらかじめミシン作業で自動的に植え込まれる。長毛２と短毛２’は布地３に交互に整然と配列され、生体に近い毛質の合成繊維、軟質樹脂などで形成されるとともに当然ながら実物の犬にふさわしい色合を有し、また染毛できる素材が用いられる。【００１６】  図１（ｄ）は犬型本体１の腹部の中程に支持棒１０を差し込んだ形態を示している。腹部には内材１ｃが存在し、この内材１ｃにあけた挿孔４は支持棒１０を差し込んだのち本体１が不測に回転しないように半円形ないし角形に形成しておく。支持棒１０を差し込むことにより支持棒１０が固定されると本体１もおのずから不動状となる。【００１７】  図２（ａ）は支持棒１０の立設状態を示すもので、支持棒１０は調整板１４に取り付けられ、調整板１４はベース体１６の任意位置に固定され且つベース体１６はテーブル・机などの取付台２０の縁部２０ａに、端部のコ字形具１６ａが係合することで取り付けられる。このコ字形具１６ａはベース体１６端にビス止めＰして一体としたものである。支持棒１０は高さ調節自在となるように、調整板１４に固着した固定筒１１に挿入した調節杆１２を、固定筒１１の側部から螺入した締付ねじ１３で任意高さに固定する。また調整板１４はベース体１６に沿って移動させることができ、止めねじｌ５で所望位置に固定される。【００１８】  図２（ｂ）のように、ベース体１６は取付台２０の縁部２０ａの厚みに応じてコ字形具１６ａの内面幅を調整できるようにしておく。すなわちコ字形具１６ａの下面には先端にゴム材１７を取り付けた圧接ねじ１８を設け、この圧接ねじ１８を締めると取付台縁部２０ａの下面とゴム材１７が密着してベース体１６が取付台２０に固定される。つまりベース体１６が取付台２０の縁部２０ａに沿って調節され、調整板１４がベース体１６の調節方向と直交する方向に調節されることで調整板上の支持棒１０が縦横方向に移動可能となり、したがってトリマー等がカット練習しやすい位置でトリミングできるという構成となっている。【００１９】  本発明では極力生体に合わせるために、愛玩用の犬であるマルチーズ、シュナウザー、プードルなどの種類別にサイズを設定する。こうすることで犬種に応じたカット練習ができ、依頼主の要望するトリミングに直ちに取りかかることができる。そのため犬の種類別に体の各部位である頭の長さ、鼻の長さ、鼻の太さ、顔回り、胸の長さ、足の長さ・太さ更に胴回り、尻尾の長さなどにつき、成長した犬の平均値を出して実物大の大きさのものを作製する。
【図面の簡単な説明】
【図１】（ａ）は本発明の概略全体図、（ｂ）は一部を省略した犬型本体の説明図、（ｃ）は布地に長毛及び短毛を植え込んだ説明図、（ｄ）は本体に支持棒を差し込んだ断面図である。
【図２】（ａ）は取付台に支持棒を立設した斜視図、（ｂ）はベース体端部のコ字形具の斜視図である。
【符号の説明】
１    犬型本体
１ａ  基体
１ｂ  針金
１ｃ  内材
２    長毛
２’  短毛
３    布地
４    挿孔
１０  支持棒
１１  固定筒
１２  調節杆
１３  締付ねじ
１４  調整板
１５  止めねじ
１６  ベース体
１６ａコ字形具
Ｐ    ビス止め
１７  ゴム材
１８  圧接ねじ
２０  取付台
２０ａ縁部
【図１】
2005031603.tif 000003
【図２】
2005031603.tif 000004